(57)【要約】【課題】オーバーチューブを介して２本の内視鏡を体内に挿入したときに、２本の内視鏡が相互に絡み合うことのないオーバーチューブを提供する。【解決手段】体内への内視鏡８ａ，８ｂの挿入を補助するオーバーチューブ１内に、内視鏡８ａが挿通される第１の挿入路９ａと、内視鏡８ｂが挿通される第２の挿入路９ｂとを各別に画成するセパレータ４，１２を、回動自在に備える。セパレータ１２は、第１の挿入路９ａとしての第１の管路１４ａ，１５ａ，１６ａと、第２の挿入路９ｂとしての第２の管路１４ｂ，１５ｂ，１６ｂとを備える。セパレータ４，１２は、オーバーチューブ１の先端から所定の範囲の長さで突出する突出部７を備えると共に、少なくとも突出部７は軟質樹脂からなる。セパレータ４，１２は着脱自在である。【選択図】  図１
2008125819.tif 000002
【特許請求の範囲】
【請求項１】
体内への内視鏡の挿入を補助するオーバーチューブにおいて、
該オーバーチューブ内に、一の内視鏡が挿通される第１の挿入路と、他の内視鏡が挿通される第２の挿入路とを各別に画成するセパレータを、回動自在に備えることを特徴とするオーバーチューブ。
【請求項２】
請求項１記載のオーバーチューブにおいて、
前記セパレータは、前記第１の挿入路としての第１の管路と、前記第２の挿入路としての第２の管路とを備えることを特徴とするオーバーチューブ。
【請求項３】
請求項１または請求項２記載のオーバーチューブにおいて、
前記セパレータは、前記オーバーチューブの先端から所定の範囲の長さで突出する突出部を備えると共に、少なくとも該突出部は軟質樹脂からなることを特徴とするオーバーチューブ。
【請求項４】
請求項１乃至請求項３のいずれか１項記載のオーバーチューブにおいて、
前記セパレータは着脱自在であることを特徴とするオーバーチューブ。
【発明の詳細な説明】
【技術分野】
【０００１】
本発明は、被験者の体内への、消化器内視鏡等の内視鏡の挿入を補助するオーバーチューブに関するものである。
【背景技術】
【０００２】
従来、内視鏡を、被験者の口部に装着されたマウスピースを介して食道から消化器に挿入する際に、該内視鏡の挿入を補助するオーバーチューブが知られている（例えば特許文献１参照）。
【０００３】
前記内視鏡は、例えば、胃、小腸、十二指腸等の消化器に用いられるものであり、先端部にＣＣＤケーブル、患部を照明するライト、ＣＣＤケーブルを洗浄する送気・送水チャンネル、鉗子チャンネル等が備えられている。前記内視鏡によれば、患部をビデオカメラ部より観察しながら、前記鉗子チャンネルから各種鉗子を導入することにより、組織採取、異物摘出、止血、腫瘍摘出、胆石の破砕等の各種手技を行うことができる。
【０００４】
前記オーバーチューブは、まず、前記内視鏡に外挿された状態で食道から消化器に挿入されたのち、該内視鏡のみが抜去され、該オーバーチューブが留置される。そして、留置されたオーバーチューブを利用して前記内視鏡を消化器等の臓器に出し入れして前記手技を施すことにより、各種の治療、検査等が行われる。前記内視鏡による治療としては、例えば、ＥＳＤ（内視鏡的粘膜下層剥離術）、ＥＡＭ（内視鏡的吸引粘膜切除術）、ＥＶＬ（食道静脈瘤結紮術）等を挙げることができる。
【０００５】
ところで、前記内視鏡による治療の１つにダブルスコープＥＳＤがある。前記ダブルスコープＥＳＤは、病変把持専用の極細径の内視鏡と、処置用内視鏡との２本の内視鏡を、前記オーバーチューブを介して同時に挿入するものであり、安全かつ容易に、粘膜の剥離を行うことができるものと期待される。
【０００６】
しかしながら、従来のオーバーチューブを用いて前記ダブルスコープＥＳＤを行うと、前記２本の内視鏡が相互に絡み合ってしまい、手技の継続が困難になるという不都合がある。
【特許文献１】特開平８−２０６２２４号公報
【発明の開示】
【発明が解決しようとする課題】
【０００７】
本発明は、かかる不都合を解消して、オーバーチューブを介して２本の内視鏡を体内に挿入したときに、２本の内視鏡が相互に絡み合うことのないオーバーチューブを提供することを目的とする。
【課題を解決するための手段】
【０００８】
かかる目的を達成するために、本発明は、体内への内視鏡の挿入を補助するオーバーチューブにおいて、該オーバーチューブ内に、一の内視鏡が挿通される第１の挿入路と、他の内視鏡が挿通される第２の挿入路とを各別に画成するセパレータを、回動自在に備えることを特徴とする。
【０００９】
本発明のオーバーチューブによれば、内部に２本の内視鏡の挿入路を各別に画成するセパレータを回動自在に備えている。従って、前記オーバーチューブを介して２本の内視鏡を患部等に挿入したときに、各内視鏡の位置を変える必要が生じても、各内視鏡が相互に絡み合って手技の妨げとなることを防止することができる。
【００１０】
本発明のオーバーチューブにおいて、前記セパレータは、該オーバーチューブ内に前記各挿入路を画成するための単なる仕切体であってもよいが、前記第１の挿入路としての第１の管路と、前記第２の挿入路としての第２の管路とを備えることが好ましい。前記各挿入路として、前記第１、第２の管路を備えることにより、前記各内視鏡が相互に絡み合うことを確実に防止することができる。
【００１１】
また、前記セパレータは、前記オーバーチューブの先端から所定の範囲の長さで突出する突出部を備えると共に、少なくとも該突出部は軟質樹脂からなることが好ましい。前記セパレータは、前記突出部を備えることにより、前記オーバーチューブの先端から前記各内視鏡が相互に絡み合うことのない領域まで、各内視鏡を誘導することができる。
【００１２】
またこのとき、前記突出部は消化器等の臓器の粘膜に接触することが懸念される。しかし、前記セパレータにおいて、少なくとも前記突出部は軟質樹脂からなるので、前記粘膜に接触しても該粘膜を損傷させることがない。
【００１３】
本発明のオーバーチューブは、例えば、ダブルスコープＥＳＤ等に好適に用いることができるが、ダブルスコープＥＳＤでは切除した組織片を回収した後、病変部を確認、検査するため、該組織片を標本にすることが行われる。このとき、前記組織片は、細かく切断された状態では病変部の判断が難しくなるので、できるだけ切除した状態のままの大きな組織片を回収することが望まれる。
【００１４】
そこで、本発明のオーバーチューブにおいて、前記セパレータは着脱自在であることが好ましい。前記セパレータが着脱自在であることにより、前記ダブルスコープＥＳＤで組織片を切除した後、該セパレータを取り外すことにより、該組織片を細かく切断することなく、大きいまま回収することができる。
【発明を実施するための最良の形態】
【００１５】
次に、添付の図面を参照しながら本発明の実施の形態についてさらに詳しく説明する。図１は本実施形態の第１の態様のオーバーチューブの構成を示す斜視図、図２は図１のＩＩ−ＩＩ線断面図、図３は図１に示すセパレータの内視鏡挿入部の正面図である。図４は本実施形態の第２の態様のオーバーチューブの構成を示す斜視図、図５は図４のＶ−Ｖ線断面図である。
【００１６】
図１に示すように、本実施形態のオーバーチューブ１は、例えばダブルスコープＥＳＤに用いられる消化器用の内視鏡（図示せず）を被験者の体内に挿入する際に、被験者の口部から食道に挿入されて、該内視鏡の挿入を補助するために用いられる。オーバーチューブ１は、ポリ塩化ビニル等の軟質樹脂からなる円筒状体であり、前記内視鏡が挿入される側を基端部２、反対側の端部を先端部３とし、基端部２にはＡＢＳ樹脂等の硬質樹脂からなるグリップ２ａが設けられている。
【００１７】
また、オーバーチューブ１は、前記被験者の口部から食道への挿入を容易にするために弓なりに湾曲した形状を備えている。このため、オーバーチューブ１には、図示しないステンレス製のワイヤが螺旋状に埋設されており、該ワイヤにより前記形状が保持されている。
【００１８】
オーバーチューブ１は、オーバーチューブ１と別体に構成されたセパレータ４を備えている。セパレータ４は、オーバーチューブ１内で回動自在であり、かつオーバーチューブ１に着脱自在に備えられている。
【００１９】
セパレータ４は、オーバーチューブ１のグリップ２ａに係止されるアダプター５と、オーバーチューブ１内部に配設される仕切体６と、オーバーチューブ１の先端部３から突出する突出部７とからなる。セパレータ４において、アダプター５はＡＢＳ樹脂等の硬質樹脂からなり、仕切体６は硬質ポリ塩化ビニル、ポリエチレン等からなる。また、突出部７は、軟質ポリ塩化ビニル等の軟質樹脂からなり、周囲が面取りされている。
【００２０】
セパレータ４は、図２に示すように、オーバーチューブ１に挿入された仕切体６により、オーバーチューブ１の内部に、内視鏡８ａが挿通される第１挿入路９ａと、内視鏡８ｂが挿通される第２挿入路９ｂとを各別に画成する。例えば、内視鏡８ａはダブルスコープＥＳＤにおいて病変把持専用に用いられる極細径の内視鏡であり、内視鏡８ｂは処置用に用いられる内視鏡である。この場合、内視鏡８ａが挿通される第１挿入路９ａの断面積は、内視鏡８ｂが挿通される第２挿入路９ｂの断面積よりも小さくなっている。
【００２１】
アダプター５は内視鏡の挿入部であり、図３に示すように、ＡＢＳ樹脂等の硬質樹脂からなる円筒状の枠体５ａの中央部に張設された膜状部材１０と、膜状部材１０に設けられた開口部１１ａ，１１ｂとを備えている。そして、膜状部材１０の裏面には、仕切体６の端部が取着されている。
【００２２】
開口部１１ａは、内視鏡８ａに対応するものであり、第１挿通路９ａに連通している。一方、開口部１１ｂは、内視鏡８ｂに対応するものであり、第２挿通路９ｂに連通している。膜状部材１０は、例えば、シリコーンゴム等の軟質樹脂からなり、開口部１１ａ，１１ｂに内視鏡８ａ，８ｂが挿入されたときに、内視鏡８ａ，８ｂの外周面に密着するようになっている。
【００２３】
前記構成を備えるオーバーチューブ１によれば、例えば、ダブルスコープＥＳＤを行うときには、病変把持専用に用いられる極細径の内視鏡８ａが開口部１１ａから第１挿通路９ａに挿通される一方、処置用に用いられる内視鏡８ｂが開口部１１ｂから第２挿通路９ｂに挿通される。セパレータ４は、オーバーチューブ１内で回動自在とされているので、内視鏡８ａ，８ｂの相互の位置を変える必要が生じた場合には、元の位置から両方向に３０°程度の範囲で回動することができる。また、内視鏡８ａ，８ｂは、オーバーチューブ１内では仕切体６により画成された挿通路９ａ，９ｂに各別に挿通されており、オーバーチューブ１の先端部３の外部でも突出部７により相互に離隔される。
【００２４】
この結果、オーバーチューブ１では、セパレータ４により、内視鏡８ａ，８ｂが相互に絡み合って手技の妨げとなることを確実に防止することができる。
【００２５】
また、オーバーチューブ１では、セパレータ４が着脱自在に備えられているので、ダブルスコープＥＳＤで切除した組織片を回収する際には、セパレータ４を取り外すことにより、該組織片を細かく切断することなく、切除したときの大きさのまま回収することができる。
【００２６】
さらに、オーバーチューブ１では、セパレータ４の突出部７が軟質ポリ塩化ビニル等の軟質樹脂からなり、周囲が面取りされている。従って、突出部７が消化器等の粘膜に接触しても該粘膜の損傷を避けることができる。
【００２７】
次に、図４に示す、本実施形態のオーバーチューブ１は、オーバーチューブ１と別体に構成されたセパレータ１２を備えている以外は、図１に示すオーバーチューブ１と全く同一の構成を備えている。セパレータ１２は、オーバーチューブ１内で回動自在であり、かつオーバーチューブ１に着脱自在に備えられている。
【００２８】
セパレータ１２は、オーバーチューブ１のグリップ２ａに係止されるアダプター５と、オーバーチューブ１内部に配設される管路形成部材１３とからなる。セパレータ１２において、アダプター５はＡＢＳ樹脂等の硬質樹脂からなり、管路形成部材１３は軟質ポリ塩化ビニル等の軟質樹脂からなる。管路形成部材１３は、その先端部が斜めにカットされた形状を備え、オーバーチューブ１の先端部３から外部に突出している。
【００２９】
セパレータ１２は、図５（ａ）に示すように、オーバーチューブ１に挿入された管路形成部材１３の内部に、内視鏡８ａが挿通される第１挿入路９ａとしての第１管路１４ａと、内視鏡８ｂが挿通される第２挿入路９ｂとしての第２管路１４ｂとを備えている。管路１４ａ，１４ｂは、管路形成部材１３の全長に亘って形成されており、共に半円形状の横断面を備えている。この場合、内視鏡８ａが挿通される第１管路１４ａの断面積は、内視鏡８ｂが挿通される第２管路１４ｂの断面積よりも小さくなっている。
【００３０】
また、セパレータ１２は、図５（ｂ）に示すように、オーバーチューブ１に挿入された管路形成部材１３と、オーバーチューブ１の内壁との間に、内視鏡８ａが挿通される第１挿入路９ａとしての第１管路１５ａと、内視鏡８ｂが挿通される第２挿入路９ｂとしての第２管路１５ｂとを形成するものであってもよい。管路１５ａ，１５ｂは、管路形成部材１３の全長に亘って形成されており、内視鏡８ａが挿通される第１管路１５ａの断面積は、内視鏡８ｂが挿通される第２管路１５ｂの断面積よりも小さくなっている。
【００３１】
さらに、セパレータ１２は、図５（ｃ）に示すように、オーバーチューブ１に挿入された管路形成部材１３の内部に、内視鏡８ａが挿通される第１挿入路９ａとしての第１管路１６ａと、内視鏡８ｂが挿通される第２挿入路９ｂとしての第２管路１６ｂとを備えるものであってもよい。管路１６ａ，１６ｂは、管路形成部材１３の全長に亘って形成されており、共に円形の横断面を備えている。この場合、内視鏡８ａが挿通される第１管路１６ａの断面積は、内視鏡８ｂが挿通される第２管路１６ｂの断面積よりも小さくなっている。
【００３２】
尚、セパレータ１２において、アダプター５は、セパレータ４の場合と全く同一の構成を備えている。
【００３３】
図４、図５に示すオーバーチューブ１によれば、前記構成のセパレータ１２を備えるので、内視鏡８ａ，８ｂが相互に絡み合って手技の妨げとなることをさらに確実に防止することができる。
【００３４】
また、図４、図５に示すオーバーチューブ１によれば、セパレータ１２が着脱自在に備えられているので、ダブルスコープＥＳＤで切除した組織片を回収する際には、セパレータ１２を取り外すことにより、該組織片を細かく切断することなく、切除したときの大きさのまま回収することができる。
【００３５】
さらに、図４、図５に示すオーバーチューブ１によれば、管路形成部材１３が軟質ポリ塩化ビニル等の軟質樹脂からなる。従って、管路形成部材１３の先端部が消化器等の粘膜に接触しても、該粘膜の損傷を避けることができる。
【図面の簡単な説明】
【００３６】
【図１】本発明の第１の態様のオーバーチューブの構成を示す斜視図。
【図２】図１のＩＩ−ＩＩ線断面図。
【図３】図１に示すセパレータの内視鏡挿入部の正面図。
【図４】本発明の第２の態様のオーバーチューブの構成を示す斜視図。
【図５】図４のＶ−Ｖ線断面図。
【符号の説明】
【００３７】
１…オーバーチューブ、  ４，１２…セパレータ、  ７…突出部、  ８ａ，８ｂ…内視鏡、  ９ａ…第１の挿通路、  ９ｂ…第２の挿通路、  １４ａ，１５ａ，１６ａ…第１の管路、  １４ｂ，１５ｂ，１６ｂ…第２の管路。
【図１】
2008125819.tif 000003
【図２】
2008125819.tif 000004
【図３】
2008125819.tif 000005
【図４】
2008125819.tif 000006
【図５】
2008125819.tif 000007